(57)【要約】【課題】マンドレルの破断後リベット本体に残留するマンドレル部分の脱落を防止するブラインドリベットを低コストで提供する。【解決手段】ブラインドリベット３は、スリーブ９及びフランジ１０から成るリベット本体２と、頭部１４を端部に有しリベット本体を貫通するマンドレル１とから成り、マンドレルには小径の破断可能部１７が形成され、マンドレル１は、頭部１４と破断可能部１７との間に形成された脱落防止部（１８）には、フランジ１０の中空部の直径より大径の頂部を有し頂部がマンドレル外周方向に延びる係止山１９が形成されて、マンドレルが破断した後も係止山１９がフランジ１０の中空部の内壁面に係合して残留マンドレル部分はリベット本体内に留まる。【選択図】図１
2009041699.tif 000002
【特許請求の範囲】
【請求項１】
中空の筒状のスリーブ及び該スリーブの一端に形成されたフランジから成る中空のリベット本体と、該リベット本体のスリーブ内径より大径の頭部を端部に有し該リベット本体を貫通する外径で且つ該リベット本体より長い棒状に形成され且つ前記頭部と反対の端部側にグリップ部が設けられたマンドレルとから成り、前記マンドレルと前記リベット本体とは、前記フランジとは反対側の前記スリーブの他端に前記頭部が隣接配置され且つ前記フランジから前記グリップ部が延び出るように、組付けられ、前記マンドレルには、前記頭部から離れた位置であって且つ前記リベット本体のスリーブ内に収容される部分に、小径の破断可能部が形成され、前記マンドレルは、前記グリップ部が前記フランジから強く引き抜かれるとき前記頭部が前記スリーブの前記他端及びその隣接部分を半径方向外方に向けて変形させ、所定の引抜力を越えると前記破断可能部で破断される構成である、ブラインドリベットにおいて、
前記マンドレルは、前記頭部と前記破断可能部との間に形成された脱落防止部を有し、該脱落防止部には、前記リベット本体の前記フランジの中空部の直径より大径の頂部を有し該頂部が前記マンドレル外周方向に延びる係止山が形成されており、前記マンドレルの引抜きによって前記破断可能部が破断した後も前記脱落防止部の前記係止山が前記フランジの中空部の内壁面に係合して前記リベット本体に残留するマンドレル部分は該リベット本体内に留まる、
ことを特徴とするブラインドリベット。
【請求項２】
請求項１に記載のブラインドリベットにおいて、前記脱落防止部の前記係止山は、前記マンドレルの外周面に、該外周面から半径方向内側に凹んで形成された周溝の両縁部に、前記マンドレルより半径方向外方に隆起して形成されている、ことを特徴とするブラインドリベット。
【請求項３】
請求項２に記載のブラインドリベットにおいて、前記周溝が２本並べて形成されて、各周溝の両縁部に前記係止山が形成されている、ことを特徴とするブラインドリベット。
【請求項４】
請求項１に記載のブラインドリベットにおいて、前記脱落防止部の前記係止山は、前記マンドレルの引っ張り方向に緩やかな斜面が形成され且つ破断後のマンドレルの脱落方向には急峻な斜面又は肩として形成されている、ことを特徴とするブラインドリベット。
【請求項５】
請求項１〜４のいずれか１項に記載のブラインドリベットにおいて、前記マンドレルにの外面には、前記頭部に近い側の位置であって前記脱落防止部に隣接する位置に、前記係止山の頂部より大径の第１係止肩が形成されており、前記リベット本体の内側には、前記スリーブと前記フランジとの境界に、前記第１係止肩に当接できる第２係止肩が形成されており、前記マンドレルの前記引き抜きにおいて前記第１係止肩が前記第２係止肩に当接して前記脱落防止部の前記係止山が前記フランジ中空部に位置するのを確実にする、ことを特徴とするブラインドリベット。
【請求項６】
請求項１〜５のいずれか１項に記載のブラインドリベットにおいて、前記マンドレルの前記頭部には、前記スリーブを、該頭部に隣接する端部から長手方向に切開する切刃が形成されており、前記マンドレルが前記リベット本体から引抜かれると前記切刃が前記スリーブを隣接する端部から長手方向に拡開する、ことを特徴とするブラインドリベット。
【請求項７】
請求項１〜５のいずれか１項に記載のブラインドリベットにおいて、前記マンドレルの前記頭部は、前記マンドレルが前記リベット本体から引抜かれると、該頭部に隣接する前記スリーブの端部及びその付近を半径方向外方に膨径する形状である、ことを特徴とするブラインドリベット。
【発明の詳細な説明】
【技術分野】
【０００１】
本発明は、ブラインドリベットに関し、例えば、閉じた空間を形成する壁等の被締結部材に、その壁等の取付穴にリベット本体を挿入してリベット本体スリーブ端部を半径方向外方に変形させて、リベット本体のフランジとの間に挟持して被締結部材に他の被締結部材等を固定することができるブラインドリベットに関する。
【背景技術】
【０００２】
スリーブ及びそのスリーブの一端のフランジから成る中空の金属製リベット本体と、リベット本体を貫通してフランジからグリップ部が延び出るリベット本体より長い金属製マンドレルとを包含するブラインドリベットはよく知られ、例えば、複数のパネルを一方の側からだけの作業で連結できる利点がある。特開２００４−０７６９３３号公報（欧州特許出願公開第ＥＰ１３６９６００４号（特許文献１））に記載のブラインドリベットは、一端にフランジが形成された中空のスリーブを有するリベット本体と、リベット本体のスリーブ内径より大径の頭部を端部に有しリベット本体を貫通する外径のマンドレルとが、フランジとは反対側のスリーブ他端に頭部が隣接配置されてフランジからグリップ部が延び出るように組付けられている。マンドレル頭部にはスリーブ他端の端面及び内壁に向けて突出し且つスリーブの長手方向に延びる切刃が形成され、マンドレルのグリップ部を締結工具で把持してフランジから強く引抜くと、マンドレル頭部の切刃がスリーブの端部から長手方向に切開し、スリーブ端部部分を、切刃の数（例えば４つ）に従って分割しながらアーチ形状に拡開する。４つのアーチ形状の拡開スリーブ部分とフランジとの間に、パネル等の複数の被締結部材及び別の被締結部材が挟持されて相互に連結される。かかるブラインドリベットは、ピールタイプのブラインドリベットとも呼ばれ、被締結部材が軟質の部材であっても損傷することなく締結できる利点がある。また、他のブラインドリベットと同様に、作業者の手の届かない作業者と反対側（ブラインド側）において締結できるので、例えば、閉じた空間に締結することができる。
【０００３】
【特許文献１】特開２００４−０７６９３３号公報（欧州特許出願公開第ＥＰ１３６９６００号に対応する）
【特許文献２】特開昭６０−１２５４０６号公報（米国特許第４，６３９，１７４号に対応する）
【特許文献３】特開平６−１４７２０８号公報（米国特許第５，１０２，２７４号に対応する）
【発明の開示】
【発明が解決しようとする課題】
【０００４】
上記特許文献１等に記載されるブラインドリベットは、スリーブを拡開するように変形させるマンドレルが破断可能部で破断すると破断可能部から頭部側の部分がリベット本体側に残留する。従来のブラインドリベットにおいて、その残留マンドレル部分がリベット本体から脱落するおそれがある。例えば、閉じた空間を持つ被締結部材にブラインドリベットが締結された場合、残留マンドレル部分がリベット本体から脱落すると、残留マンドレル部分がその空間の中で転がり、異音を発生させたり、内壁面を損傷させたりするので好ましくない。
【０００５】
特許文献２のブラインドリベットは、マンドレルの破断可能部に隣接して長手方向に一定長さ延びる縦溝を周方向に多数並べて形成し、締結時の軸回りの回転を防止するように形成されている。またマンドレルの頭部に隣接して周溝を形成して、この周溝部分に、リベット本体のスリーブの端部を収容して他のスリーブ部分の半径方向外方への拡径を確実にしている。マンドレルの破断後のリベット本体に残留するマンドレル部分は、スリーブ端部が前記の周溝に保持されているので、脱落を免れている。特許文献２のブラインドリベットは、残留マンドレル部分の脱落防止のために、前記の回転防止の縦溝とは別の構成を必要としている。
【０００６】
特許文献３のブラインドリベットは、締結の強化と維持のために、破断可能部と頭部の間のマンドレル部分に長手方向に多数の周溝を並設したマンドレルを持つものである。この周溝は、マンドレルの引き抜きのとき、スリーブの内面と摩擦係合するリブを形成しており、その摩擦係合によって、マンドレルの引き抜き力大きくして、締結力を強化して締結の維持を確実にするものである。特許文献３のブラインドリベットのマンドレルの周溝は、リベット本体に残留するマンドレルの脱落防止を目的としてはいないため、脱落の防止を確実にするものではない。
【０００７】
従って、本発明の目的は、マンドレルの破断後リベット本体に残留するマンドレル部分の脱落を防止するブラインドリベットを、低コストで提供することにある。
【課題を解決するための手段】
【０００８】
かかる目的を達成するため、本発明によれば、中空の筒状のスリーブ及びスリーブの一端に形成されたフランジから成る中空のリベット本体と、リベット本体のスリーブ内径より大径の頭部を端部に有しリベット本体を貫通する外径で且つリベット本体より長い棒状に形成され且つ頭部と反対の端部側にグリップ部が設けられたマンドレルとから成り、マンドレルとリベット本体とは、フランジとは反対側のスリーブの他端に頭部が隣接配置され且つフランジからグリップ部が延び出るように、組付けられ、マンドレルには、頭部から離れた位置であって且つリベット本体のスリーブ内に収容される部分に、小径の破断可能部が形成され、マンドレルは、グリップ部がフランジから強く引き抜かれるとき頭部がスリーブの他端及びその隣接部分を半径方向外方に向けて変形させ、所定の引抜力を越えると破断可能部で破断される構成である、ブラインドリベットであって、マンドレルは、頭部と破断可能部との間に形成された脱落防止部を有し、脱落防止部には、リベット本体のフランジの中空部の直径より大径の頂部を有し頂部がマンドレル外周方向に延びる係止山が形成されており、マンドレルの引抜きによって破断可能部が破断した後も脱落防止部の係止山がフランジの中空部の内壁面に係合してリベット本体に残留するマンドレル部分はリベット本体内に留まる、ことを特徴とするブラインドリベットが提供される。
【０００９】
上記ブラインドリベットの構成によって、マンドレルの引抜きによって破断可能部が破断した後も脱落防止部の係止山がフランジの中空部の内壁面に係合してリベット本体に残留するマンドレル部分はリベット本体内に留まるのが確実にされ、そのための構成は、マンドレルに、破断可能部に隣接して係止山を形成するだけの簡単な構成でよく、残留マンドレル部分の脱落防止するタイプのブラインドリベットを低コストで提供できる。更に、残留マンドレル部分がリベット本体に確実に留まって固着しているので、リベット本体のスリーブの拡開部分はその拡開形状の維持が強化され、高い締結力が長く維持される。また、残留マンドレル部分はリベット本体に固着しているので、被締結部材からブラインドリベットに振動が付与されても、マンドレル部分がリベット本体の中で不動であり、異音の発生はない。
【００１０】
上記ブラインドリベットにおいて、脱落防止部の係止山は、マンドレルの外周面に、外周面から半径方向内側に凹んで形成された周溝の両縁部に、マンドレルより半径方向外方に隆起して形成されている。その場合、周溝が２本並べて形成されて、各周溝の両縁部に係止山が形成される構成にできる。それとは別に、脱落防止部の係止山は、マンドレルの引っ張り方向に緩やかな斜面が形成され且つ破断後のマンドレルの脱落方向には急峻な斜面又は肩として形成されているものであってもよい。
【００１１】
上記ブラインドリベットにおいて、マンドレルにの外面には、頭部に近い側の位置であって脱落防止部に隣接する位置に、係止山の頂部より大径の第１係止肩が形成され、リベット本体の内側には、スリーブとフランジとの境界に、第１係止肩に当接できる第２係止肩が形成され、マンドレルの引き抜きにおいて第１係止肩が第２係止肩に当接して脱落防止部の係止山がフランジ中空部に位置するのを確実にするように構成できる。
【００１２】
なお、上記ブラインドリベットにおいて、マンドレルの頭部には、スリーブを、頭部に隣接する端部から長手方向に切開する切刃が形成されており、マンドレルがリベット本体から引抜かれると切刃がスリーブを隣接する端部から長手方向に拡開する、ピールタイプのブラインドリベットであってもよい。また、マンドレルの頭部は、マンドレルがリベット本体から引抜かれると、頭部に隣接するスリーブの端部及びその付近を半径方向外方に膨径する形状である、ピールタイプ以外のブラインドリベットであってもよい。
【発明を実施するための最良の形態】
【００１３】
以下、本発明のいくつかの実施形態について、図面を参照しながら説明する。図１は、マンドレル１とリベット本体２とが組付けられた、本発明の第１実施形態に係るブラインドリベット３を示す。図２は、組み付け前のリベット本体２を単体で示す。図３は、組み付け前のマンドレル１を単体で示す。図４〜図６は、マンドレル１に係止山を設ける操作を示す。図７は、係止溝の変形例を示す。図８及び図９は、ブラインドリベット３を用いて、閉じた空間５を形成した被締結部材６と他の被締結部材７とを連結した様子を示している。図１０以降は、本発明の他の実施形態に係るブラインドリベットを示す。
【００１４】
図１及び図３において、マンドレル１は、リベット本体２よりも長い円柱の棒状の金属で形成され、例えば、硬鋼線で作られる。図１及び図２において、リベット本体２は、中空の筒状の金属で形成され、マンドレル１より軟質の材料、例えば、アルミニウム又はアルミニウム合金で作られる。図１に示すように、ブラインドリベット３は、マンドレル１とリベット本体２とが組み付けられて、マンドレル１が中空のリベット本体２を貫通してリベット本体２から延び出るように組付けられて成る。
【００１５】
図２に示すように、リベット本体２は、中空のスリーブ９とスリーブ９の一端の大径のフランジ１０とから成り、全体が中空に形成され、中空部分にマンドレル１を収容する。スリーブ９及びフランジ１０の中空部１１の内径は、マンドレル１が貫通できるように設定される。また、フランジ１０の軸方向の厚さ１３は、マンドレル１を強く引き抜いて破断可能部で破断した後においてリベット本体２内に残ったマンドレル部分がフランジ１０から突出することがない厚さに設定される。マンドレル１が破断可能部で破断する程にリベット本体２から強く引き抜かれるとスリーブ９が変形させられる（図８参照）が、フランジ１０の部分は半径方向に長く剛性が高いので変形されず、フランジ１０の部分は非変形部分となり、中空部１１の直径はスリーブ９が変形しても変化しない。非変形部分であるフランジ１０の軸方向の厚さ１３は、上記のように、特許文献１等の従来のフランジより厚く形成されている。
【００１６】
マンドレル１の一端には、リベット本体スリーブ９の、フランジと反対側の端部より大径の頭部１４が形成されている。マンドレル１の長さは、図１に図示のように、リベット本体２のスリーブ９より相当に長くされ、リベット本体２のフランジ１０から突出して、その突出部分が締結工具（図示せず）の先端の把持部材に把持できるように設定される。締結工具に把持させるため、マンドレル１には、頭部１４と反対側の端部側に、グリップ部１５が形成され、グリップ部１５には、締結工具の把持部材の把持から抜けないように多段の係止溝が形成されている。マンドレル１の先端は、締結工具へ挿入し易いように先細に形成されている。
【００１７】
マンドレル１には、スリーブ９に収容される部分において、他の部分より小径の破断可能部１７が形成されている。破断可能部１７は、締結工具でマンドレル１を引抜くとき、一定の引抜き力を越えると破断する部分である。破断前の引抜き力は、頭部１４からリベット本体２のスリーブ９に加わり、そのスリーブ９を変形させる力となる。従って、破断可能部１７の破断抵抗力は、リベット本体２のスリーブ９を変形する力によって定められる。破断後の締結工具で把持しているマンドレル部分（主としてグリップ部１５）は締結工具の回収ボックスに回収できる。破断可能部１７の位置は任意であるが、実施形態に示す位置に形成されると、マンドレル１の殆どの部分が回収できるので、回収率が高く維持できる。
【００１８】
マンドレル１について更に説明する。マンドレル１は、リベット本体２への組付けの前にすなわち図３の状態において、頭部１４と破断可能部１７との間に形成された脱落防止部１８を有する。かかる脱落防止部１８は、マンドレル１の破断後においてリベット本体２に残留するマンドレル部分（頭部１４から破断可能部１７までのマンドレル部分）がリベット本体２から脱落するのを防止する。従って、残留マンドレル部分が脱落した場合の異音の発生を防止する。
【００１９】
脱落防止部１８は、係止山１９を有し、係止山１９は、リベット本体２のフランジ１０の中空部１１の直径より僅かに大径の頂部を持ち、その頂部がマンドレル１の外周方向に延びている。係止山１９は、図示の例では、２本の離間した周溝２１によって、それぞれの両縁部に、４個形成されている。かかる係止山１９の形成の１例が、図４〜図６に示されている。図４において、マンドレル１の脱落防止部１８に相当する位置に、ローディングダイ２２が配置されて、図５に示すように、ローディングダイ２２の刃２３がマンドレル１の外面に当接させられる。刃２３は図示のように、切り刃のない丸い頂部を有する。マンドレル１を図４の矢印２５に示すように軸回りに回転させると、マンドレル１は、その外周方向に沿って、刃２３の押圧によって半径方向内側に凹まされて周溝２１が形成される。図示の例では、ローディングダイ２２の刃２３は２つ設けられ、２本の離間した周溝２１を形成する。図６に示すように、各周溝２１の両縁部には、凹まされた周溝２１の形成による肉逃げによって形成された、マンドレル１より大径の頂部をもつ係止山１９が形成される。各係止山１９の頂部の直径は、リベット本体２のフランジ１０の中空部１１の直径より僅かに大径に形成される。従って、マンドレル１の破断後において、各係止山１９はフランジ１０の中空部１１の内壁面に摩擦係合して、リベット本体２に残留するマンドレル部分（頭部１４から破断可能部１７までのマンドレル部分であって脱落防止部１８を含むマンドレル部分）がリベット本体２から脱落するのを防止する。図示の例では、２本の周溝２１の形成によって４個の係止山１９が形成される。かかる係止山１９の数は任意であり、図示の４本に限定するものではない。
【００２０】
図７は、係止山の別の形状を示している。図７の係止山２６は、マンドレル１の引っ張り方向に緩やかな斜面２７を形成し、破断後のマンドレル１の脱落方向には急峻な斜面又は肩を持つ形状に形成されている。かかる係止山２６の数は図示の例では２個であるが、１個でも３個以上であってもよい。係止山２６、及び、係止山１９の形状は、マンドレル破断後においてリベット本体２に残留するマンドレル部分をリベット本体２から脱落するのを防止できる限り、任意の形状に形成できる。
【００２１】
脱落防止部１８の位置は、マンドレル破断後においてリベット本体２に残留するマンドレル部分の、フランジ１０の中空部１１に対応する位置に定められる。すなわち、マンドレル破断後において、係止山１９がリベット本体２の非変形部分であるフランジ１０の中空部の内壁面に摩擦係合して、リベット本体２に残留するマンドレル部分をリベット本体２から脱落するのを防止する。
【００２２】
更に、図示の実施形態に係るブラインドリベット３のマンドレル２の頭部１４には、リベット本体２のスリーブ９の端面に対向する面に、周方向に間隔をおいて複数の、半径方向に斜めに延びる切刃２９が形成されている。かかる複数の切刃２９は、マンドレル１をその破断可能部１７で破断する程にフランジ１０から引き抜く力によって、対向するスリーブ９の端面を複数に切開し、更に、切刃２９の数だけスリーブ９を長手方向に切り裂いて半径方向に分割し、そのスリーブ９の分割部分を、半径方向外方に拡開させて更にアーチ形状に変形させ、各分割部分の先端を被締結部材の面に強く係合させる。また、かかる切刃２９に代えてあるいは切刃に加えて、スリーブ９の内側に長手方向に延びる分割用の溝を形成してもよい。このように、スリーブ９を切り裂いてアーチ形状に変形させるブラインドリベットは、ピールタイプのブラインドリベットとも呼ばれ、被締結部材がプラスチック等の軟質の部材であっても損傷することなく締結できる利点がある。
【００２３】
図８及び図９を参照して、閉じた空間５を形成した被締結部材６をブラインドリベット３を用いて他の被締結部材７に連結する操作を説明する。ここで、被締結部材６は、プラスチック等の軟質部材であってもよい。ブラインドリベット３のグリップ部１５が、締結工具（図示せず）に保持されて、頭部１４及びスリーブ９が、被締結部材６及び７の取付穴に挿入され、フランジ１０が被締結部材７に接面されるように位置決めされる。その状態で、マンドレル１をその破断可能部１７で破断する程に強い力でフランジ１０から引き抜く。マンドレル１が引き抜かれるにつれて、脱落防止部１８の係止山１９（又は２６）の外径がリベット本体２のスリーブ９の内径より大径であっても、スリーブ９内に圧入される。マンドレル１の引き抜きによって頭部１４の切刃２９がスリーブ９を長手方向に切り裂いて半径方向に分割し、スリーブ９の分割部分を、半径方向外方に拡開させて更にアーチ形状に変形させる。分割したスリーブ拡開部分３０は、閉じた空間５の中でアーチ形状に変形しながら被締結部材６の内壁に強く係合する。フランジ１０は被締結部材７に接面しているので、被締結部材６と被締結部材７が相互に連結される。ブラインドリベット３は、上記のように閉じた空間の中でも締結できるので便利である。また、その閉じた空間を形成している被締結部材が軟質部材であっても、スリーブ９の分割拡開部分がアーチ状に変形して被締結部材の内壁へ係合するので、その軟質部材への締結時の変形を防止できる。
【００２４】
図９に示すように、脱落防止部１８の係止山１９は、リベット本体２のフランジ１０の中空部１１の内壁面に摩擦係合しており、あるいは、中空部１１の内壁面に食い込んでいる。従って、リベット本体２に残留するマンドレル部分（すなわち、頭部１４と破断可能部１７の間のマンドレル部分）がリベット本体２から脱落するのを防止する。これによって、リベット本体２に残留するマンドレル部分の脱落の場合に空間５の中で運動するときの異音の発生が無くなる。更に、リベット本体２に残留するマンドレル部分はリベット本体２に固着しているので、被締結部材６又は被締結部材７からブラインドリベット３に振動が伝えられたとしても、マンドレル部分はリベット本体２に対して不動であり、振動に伴なう異音は発生しない。構成は、マンドレルに、破断可能部に隣接して係止山を形成するだけの簡単な構成でよくブラインドリベットを低コストで提供できる。更に、残留マンドレル部分がリベット本体に確実に留まっているので、脱落防止部を含むマンドレル部分はリベット本体に固着し、リベット本体のスリーブの拡開部分はその拡開形状の維持が強化され、高い締結力を長く維持される。
【００２５】
図１０は、本発明の第２の実施形態に係るブラインドリベット３３を示す。図１０に示すように、ブラインドリベット３３は、マンドレル１Ａとリベット本体２Ａとが組み付けられて、マンドレル１Ａが中空のリベット本体２Ａを貫通してリベット本体２Ａから延び出るように組付けられて成る。図１１は、リベット本体２Ａを単体で示す。第２実施形態に係るブラインドリベット３３が、第１実施形態に係るブラインドリベット３と異なる点は、マンドレル１Ａの外面には、ストッパとしての第１係止肩３４が形成され、リベット本体２の内側には、第１係止肩３４に係合してストッパとして作用する第２係止肩３５が形成されている点である。第２実施形態に係るブラインドリベット３３の他の構成は、第１実施形態に係るブラインドリベット３の構成と同じであるので、図１０及び図１１においてブラインドリベット３の構成要素と同じ構成要素に同じ符号を付加して、それらの構成要素の説明を省略する。
【００２６】
図１０において、マンドレル１Ａの外面には、頭部１４に近い側の位置であって、脱落防止部１８に隣接する位置に、マンドレル１Ａの直径より大径の大径部３７を形成して、脱落防止部１８の係止山１９より大径の第１係止肩３４を形成する。図１０及び図１１に示すように、リベット本体２Ａの内側には、スリーブ９の内径を、第１実施形態のスリーブ９の内径より大きく形成し、スリーブ９とフランジ１０との境界において、第２係止肩３５を形成する。
【００２７】
図１２に示すように、閉じた空間５を形成した被締結部材６をブラインドリベット３３を用いて他の被締結部材７に連結した場合、マンドレル１Ａの第１係止肩３４がリベット本体２Ａの第２係止肩３５に当接して、引き抜かれるマンドレル１Ａがリベット本体２Ａからそれ以上引き抜かられるのを確実に阻止する。これによって、脱落防止部１８の係止山１９の位置がフランジ１０の中空部１１の非変形部分にあるのが確実にされる。すなわち、係止山１９のフランジ１０に対する位置が安定して、リベット本体２Ａに残留するマンドレル部分（すなわち、頭部１４と破断可能部１７の間のマンドレル部分）がリベット本体２Ａから脱落するのを、一層確実に防止する。
【００２８】
図１３及び図１４は、本発明の第３の実施形態に係るブラインドリベット３８を示す。ブラインドリベット３８は、第１実施形態に係るブラインドリベット３のような、いわゆるピールタイプのブラインドリベットではなく、リベット本体２のスリーブ９が長手方向に切り裂かれずに膨径するタイプのブラインドリベットである。マンドレル１の頭部３９は、切刃を持たない単純な大径の頭部であって、マンドレル１をその破断可能部１７で破断する程に強い力でリベット本体２から引き抜くと、スリーブ９は、頭部３９によって図１４の部分４１のように膨径して、被締結部材６と被締結部材７とが連結される。このブラインドリベット３８においても、マンドレル１には、脱落防止部１８に係止山１９が形成され、この係止山１９が、リベット本体２のフランジ１０の中空部１１の内壁面に摩擦係合又は食い込む構成にされる。従って、従って、リベット本体２に残留するマンドレル部分（すなわち、頭部１４と破断可能部１７の間のマンドレル部分）がリベット本体２から脱落するのを防止する。
【図面の簡単な説明】
【００２９】
【図１】本発明の第１実施形態に係るブラインドリベットであってリベット本体を半断面で示す正面図である。
【図２】図１のブラインドリベットのリベット本体の半断面正面図である。
【図３】図１のブラインドリベットのマンドレルの正面図である。
【図４】マンドレルに係止山を形成する前の操作を示す図である。
【図５】マンドレルに係止山を形成した状態を示す図である。
【図６】図５の係止山を示す部分拡大図である。
【図７】別の係止山形状を示す図である。
【図８】図１のブラインドリベットを用いて２つの被締結部材を連結した状態を示す断面図である。
【図９】図８のブラインドリベットの脱落防止部の部分の拡大図である。
【図１０】本発明の第２実施形態に係るブラインドリベットであってリベット本体を半断面で示す正面図である。
【図１１】図１０のブラインドリベットのリベット本体の半断面正面図である。
【図１２】図１０のブラインドリベットを用いて２つの被締結部材を連結した状態を示す断面図である。
【図１３】本発明の第３実施形態に係るブラインドリベットであってリベット本体を半断面で示す正面図である。
【図１４】図１３のブラインドリベットを用いて２つの被締結部材を連結した状態を示す断面図である。
【符号の説明】
【００３０】
１：１Ａ  マンドレル
２：２Ａ  リベット本体
３  ブラインドリベット
５  空間
６：７  被締結部材
９  スリーブ
１０  フランジ
１１  中空部
１４  頭部
１５  グリップ部
１７  破断可能部
１８  脱落防止部
１９  係止穴
２１  周溝
２２  ローリングダイ
２３  刃
２６  係止山
２９  切刃
３０  拡開部分
３３  第２実施形態のブラインドリベット
３４  第１係止肩
３５  第２係止肩
３７  大径部
３８  第３実施形態のブラインドリベット
３９  頭部
４１  膨径部分
【図１】
2009041699.tif 000003
【図２】
2009041699.tif 000004
【図３】
2009041699.tif 000005
【図４】
2009041699.tif 000006
【図５】
2009041699.tif 000007
【図６】
2009041699.tif 000008
【図７】
2009041699.tif 000009
【図８】
2009041699.tif 000010
【図９】
2009041699.tif 000011
【図１０】
2009041699.tif 000012
【図１１】
2009041699.tif 000013
【図１２】
2009041699.tif 000014
【図１３】
2009041699.tif 000015
【図１４】
2009041699.tif 000016